(57)【特許請求の範囲】
【請求項１】
消火薬剤を収納したタンクと、温度を感知して作動することにより、加圧媒体を前記タンク内に送給して前記消火薬剤をタンク外へ噴出させる薬剤噴出機構とを具備する自動消火器において、
前記消火薬剤を、開口端部を前記加圧媒体の送給路に連通連結した可撓性を有する袋体内に収納してタンク内に収納するとともに、同袋体が加圧媒体の供給を受けて膨張した際に突き刺し可能なピン体を前記タンク内面に突設したことを特徴とする自動消火器。
【請求項２】
前記薬剤噴出機構は、加圧媒体を封入したボンベと、同ボンベの封入口を突き刺し可能とした撃針と、同撃針を移動させるために、イグナイタと燃焼剤とを備えるインフレータとを具備し、前記燃焼剤は、火薬又はガス発生剤としたことを特徴とする請求項１記載の自動消火器。
【請求項３】
イグナイタへ着火信号を送信可能なセンサ機構を具備することを特徴とする請求項２記載の自動消火器。
【請求項４】
壁体に着脱自在な取付手段をタンクに設けたことを特徴とする請求項１〜３のいずれか１項に記載の自動消火器。
【請求項５】
タンク表面に複数の脆弱部を設け、同脆弱部を消火薬剤の噴出口としたことを特徴とする請求項１〜４のいずれか１項に記載の自動消火器。
【発明の詳細な説明】
【０００１】
【発明の属する技術分野】
この発明は自動消火器に関するものである。
【０００２】
【従来の技術】
従来、この種の自動消火器として、特に一般家庭内においても簡易に配設可能なものとしては、実公昭５６−４３３３０号、特開平５−１７０号、特開平５−７１７８１号、特開平５−３３７２１２号、特開平１０−１２７８０３号、特開平１０−２２７５０４号をはじめとして多数提案されている。
【０００３】
いずれにしても、基本的な構成としては、消火薬剤を収納したタンクと、温度を感知して作動することにより、加圧媒体を前記タンク部内に送給して前記消火薬剤をタンクに設けたノズルから外部へ噴出させる薬剤噴出機構とを具備したものとなっている。
【０００４】
そして、薬剤噴出機構としては、上記実公昭５６−４３３３０号に代表されるように、加圧媒体を封入したボンベの封入口に向かって移動可能な撃針と、同撃針を移動させるための感熱作動機構を備えており、同感熱作動機構は通常下記の構成となっている。
【０００５】
すなわち、上記撃針を移動方向に付勢するスプリングとスプリング保持片とを備えており、同スプリング保持片は、閉時には前記スプリングに付勢力を蓄えさせた状態で保持可能であり、開時には前記スプリングが弾発するように開閉自在に構成され、しかも、半田などの低融点材料により閉状態を維持するように係止されている。
【０００６】
したがって、平常の温度ではスプリングは移動することはないが、火災などが発生して周辺温度が上昇すると、低融点材料が溶融してスプリング保持片の係止が解かれ、スプリングが弾発して前記撃針をボンベの封入口に向かって移動させて開封することができるのである。
【０００７】
開封されると、ボンベ内の加圧媒体が瞬時にタンク部内に送給され、消火薬剤をタンクに形成されたノズルから噴出し、消火させることができる。
【０００８】
なお、消火薬剤は、粉末、液体さまざまな形態のものが存在するが、いずれにしても、通常はタンク内に直接封入されている。
【０００９】
【発明が解決しようとする課題】
ところが、上述したように、従来の自動消火器の薬剤噴出機構は、ボンベの封入口に向かって撃針を移動させるための感熱作動機構が、撃針を移動方向に付勢するスプリングと、スプリング保持片と、同スプリング保持片を閉状態に係止する低融点材料などが設けられた複雑な構成となっている。
【００１０】
構成が複雑であればあるほど、コスト的にも不利であって、なおかつ作動不良を引き起こす要因が多数の構成要素ごとに潜在することになる。
【００１１】
しかも、複雑な構成となればそのメンテナンスも難しいものとなり、一般家庭に普及するには至っていないのが現状である。
【００１２】
また、消火薬剤がタンク内に直接封入されていることから、同消火薬剤が例えば粉末であれば、それが凝縮して固まっていないかなどの確認がしにくく、定期的な入れ替え作業もきわめて面倒である。
【００１３】
しかしながら、従来よりある手動式の消火器は、重量があって取り扱いが不便な上に、とっさの時にはその操作を誤りがちで不人気このうえない。
【００１４】
社会的にも、初期消火作業さえ行われていれば大事に至ることのなかった火災事故が多発しており、これらを防止する上でも取り扱いやすい自動消火器の普及が急務である。
【００１５】
しかも、オフィスや店舗などのみならず、一般家庭にまでも広く普及させるためには、安価であって、きわめて設置しやすく、また、メンテナンスも容易なものでなければならないが、現状ではこのような課題を解決した自動消火器は開発に至っていない。
【００１６】
本発明は、上記課題を解決することのできる自動消火器を提供することを目的としている。
【００１７】
【課題を解決するための手段】
上記課題を解決するために、請求項１記載の本発明では、消火薬剤を収納したタンクと、温度を感知して作動することにより、加圧媒体を前記タンク内に送給して前記消火薬剤をタンク外へ噴出させる薬剤噴出機構とを具備する自動消火器において、前記消火薬剤を、開口端部を前記加圧媒体の送給路に連通連結した可撓性を有する袋体内に収納してタンク内に収納するとともに、同袋体が加圧媒体の供給を受けて膨張した際に突き刺し可能なピン体を前記タンク内面に突設した。
【００１８】
また、請求項２記載の本発明では、上記薬剤噴出機構は、加圧媒体を封入したボンベと、同ボンベの封入口を突き刺し可能とした撃針と、同撃針を移動させるために、イグナイタと燃焼剤とを備えるインフレータとを具備し、前記燃焼剤は、火薬又はガス発生剤とした。
【００１９】
また、請求項３記載の本発明では、上記イグナイタへ着火信号を送信可能なセンサ機構を具備することとした。
【００２０】
請求項４記載の本発明では、壁体に着脱自在な取付手段をタンクに設けた。
【００２１】
請求項５記載の本発明では、上記タンク表面に複数の脆弱部を設け、同脆弱部を消火薬剤の噴出口とした。
【００２５】
【発明の実施の形態】
本発明は、消火薬剤を収納したタンクと、温度を感知して作動することにより、加圧媒体を前記タンク内に送給して前記消火薬剤をタンク外へ噴出させる薬剤噴出機構とを具備する自動消火器において、前記消火薬剤を、開口端部を前記加圧媒体の送給路に連通連結した可撓性を有する袋体内に収納してタンク内に収納するとともに、同袋体が加圧媒体の供給を受けて膨張した際に突き刺し可能なピン体を前記タンク内面に突設した構成としたものである。
【００２６】
上記燃焼剤は、火薬若しくはガス発生剤とすることができ、イグナイタにより着火された燃焼剤が燃焼して、火薬であればその爆発力により、ガス発生剤であればガス圧によって撃針を移動させ、この撃針によって突き刺されて開封されたボンベから炭酸ガスなどの加圧媒体がタンク内に送給され、同タンク内の消火薬剤が噴出するものである。燃焼剤の燃焼を助けるために、着火剤を備えておくとなおよい。
【００２７】
また、イグナイタに集熱体を付設し、集熱体からの伝熱により加熱されることにより着火できる構成とすることができる。すなわち、加熱されて一定温度以上になれば発火する材料によりイグナイタを構成するものである。
【００２８】
なお、燃焼剤をガス発生剤としたインフレータとしては、自動車などに設けられているエアバッグの動作用に用いられているものを転用することもできる。
【００２９】
また、上記イグナイタへ着火信号を送信可能なセンサ機構を設ける構成としてもよい。
【００３０】
この場合、センサ機構は、温度を検出するセンサ部と、同センサ部を制御する制御部とを備えた構成とし、センサ部により一定温度以上になったことを検知すると、その検知信号を受けて制御部からイグナイタへ着火信号を送って着火させるもので、センサ部はタンクなどから離して、火元となりやすいところに近接して配置することができるなど、より確実な温度検知が可能となる。
【００３１】
かかる構成により、火災などが発生して本自動消火器の周辺雰囲気温度が処置温度以上に上昇すると、集熱体により伝熱されたイグナイタが発火して燃焼剤が燃焼し、その燃焼力によって撃針を移動させてボンベを開封し、加圧媒体を噴出させてタンク内の消火薬剤を勢いよく散出させることにより自動消火を行えるようにしている。
【００３２】
かかる構成により、自動消火器の構成がシンプルとなり、低コストで生産して安価に提供可能となり、なおかつ簡単な構成であることから作動不良も起きにくく初期消火が確実になされることになり、しかも、メンテナンスも容易となるので、一般家庭などにおいても受け入れられやすい。
【００３９】
これは、消火薬剤を収納したタンクと、温度を感知して作動することにより、加圧媒体を前記タンク内に送給して前記消火薬剤をタンク外へ噴出させる薬剤噴出機構とを具備する自動消火器において、前記消火薬剤を、開口端部を前記加圧媒体の送給路に連通連結した可撓性を有する袋体内に収納してタンク内に収納するとともに、同袋体が加圧媒体の供給を受けて膨張した際に突き刺し可能なピン体を前記タンク内面に突設した構成とするものである。
【００４０】
すなわち、消火薬剤を袋体に収納した状態でタンク内に収納配設するもので、例えば消火薬剤の点検、交換などのメンテナンスが必要な場合に、タンクから袋体ごと取り出すことができるので取り扱いが容易となる。さらに、消化薬剤が液体などの場合、直接タンクに収容しないですむので、薬液漏れや薬液によりタンク材料を変質させたりするおそれがなくなる。
【００４１】
しかも、袋体は可撓性を有し、加圧媒体が送給されると膨張してタンク内面に突設されたピン体により簡単に破れ、中の消火薬剤を噴出することができるので、実際の消火動作に何ら支障をきたすことがない。
【００４２】
なお、この場合の薬剤噴出機構としては、前述同様の構成で構わない。すなわち、加圧媒体を封入したボンベと、同ボンベの封入口を突き刺し可能とした撃針と、同撃針を移動させるために、イグナイタと燃焼剤とを備えるインフレータとを具備し、さらに、前記燃焼剤としては、火薬又はガス発生剤とするとよい。これらは、消化薬剤をタンク外へ噴出するに十分な威力を有するからである。
【００４３】
ところで、上述してきた各実施形態においては、壁体に着脱自在な取付手段をタンクに設けることが望ましい。
【００４４】
かかる取付手段により、誰でも容易に必要個所に本自動消火器を配設することが可能となり、一般家庭などにおいて普及させやすくなる。例えば、強力なマグネットにより取付手段を構成すると、レンジフードなどの壁面の所望個所に容易に取付けることができるし、螺子式などの取付手段であれば、家屋の壁面などに容易に取付けることができる。
【００４５】
さらに、上記タンク表面に複数の脆弱部を設け、同脆弱部を消火薬剤の噴出口とすることができる。
【００４６】
かかる構成はタンクを合成樹脂などで容易に実現可能であり、加圧媒体による圧力で脆弱部が圧壊して消火薬剤を噴出することができる。この場合、タンクに特別なノズルなどが不要となるのでコスト的にも有利となる。
【００４７】
なお、このように、脆弱部を設けるにしても、あるいはノズルを設けるにしても、消火薬剤が噴出する噴出口部には、消火薬剤を可及的に広く散出できるようなフィルタを設けることが好ましい。
【００４８】
上記してきた実施の形態から分かるように、本発明に係る自動消火器は、構成が簡単で、取り扱いが容易となっており、しかも安価に提供可能なので、一般家庭などへの設置にきわめて都合がよい。
【００４９】
【実施例】
以下、本発明に係る自動消火器の実施例を、図面を参照しながら具体的に説明する。
【００５０】
（第１実施例）
図１は第１実施例に係る自動消火器Ａの使用状態を示す説明図であり、図示するように、本実施例に係る自動消火器Ａは、台所などに設けられたレンジフードＢの壁面Ｂ１中、ユーザの所望する個所に取付可能となっている。図中、Ｃはレンジ（コンロ）、Ｄは鍋である。
【００５１】
図２は本実施例に係る自動消火器Ａの断面視による説明図であり、図示するように、本自動消火器Ａは、消火薬剤１を収納したタンク２と、温度を感知して作動することにより、加圧媒体である炭酸ガスを前記タンク２内に送給して前記消火薬剤をタンク２外へ噴出させる薬剤噴出機構３とを備えている。
【００５２】
消火薬剤１は、フッ素系界面活性剤、硫酸アンモニウム、塩化アンモニウム、尿素、珪酸ナトリウムなどを主成分とする周知のもので、本実施例では液体状のものを用いている。なお、消化薬剤１については後述する他の実施例についても同様であるが、液状のものであっても粉状のものであっても構わない。
【００５３】
タンク２は、一端を開口し、他端に閉塞面２１を形成した略円筒状のタンク本体２０と、前記開口に螺合した蓋体２２とからなり、タンク本体２０と蓋体２２とを開閉自在としている。したがって、前記消火薬剤１の収納やメンテナンス時の取り出しが容易に行える。なお、図中省略しているが、タンク本体２０と蓋体２２との間にはパッキンを介設している。
【００５４】
また、前記閉塞面２１及び蓋体２２の外側面に係合部２３，２３を設けており、同係合部２３，２３を介して、後述するタンク取付具４に着脱自在となるようにしている。
【００５５】
すなわち、タンク取付具４は、ステンレスなどからなる帯状の金属板を略コ字状に屈曲形成し、左右のアーム部４１，４１に前記係合部２３，２３に係合する係合突起４２，４２を設けた構成としている。そして、左右のアーム部４１，４１間を一体的に連接し、壁面Ｂ１に沿って平行に伸延するタンク取付具４の基部４３には、一定間隔をおいてマグネット板４４，４４を取付けている。
【００５６】
上記構成により、タンク２は、タンク取付具４の左右アーム部４１，４１間に着脱自在に取付けることができ、マグネット板４４を介して、レンジフードＢなどの壁面Ｂ１に容易に取付け可能となっている。また、取付箇所を変更する場合もいたって簡単に行える。
【００５７】
タンク本体２０の周面には、薬剤噴出ノズル５を突設するとともに、同ノズル５と平行に前記薬剤噴出機構３を着脱自在に取付けている。
【００５８】
薬剤噴出ノズル５は、タンク本体２０の開口側に突設されており、内部に薬液拡散用フィルタ５１を配設している。同フィルタ５１は多孔質体５１ａとメッシュ体５１ｂとを組み合わせて構成しており、その組み合わせによって薬液の最適な拡散状態を得るようにしている。５ａはノズル先端に形成したフィルタ抜け止め縁、５２はフィルタ押さえ、また、５３は前記フィルタ抜け止め縁５ａの表面に貼着した薄手の封止紙であり、ノズル５内に埃などが侵入することを防止している。また、５４はノズル始端に張設した封止材であり、通常において消化薬剤１が薬剤噴出ノズル５内に流入しないようにしている。
【００５９】
薬剤噴出機構３は、前記薬剤噴出ノズル５に隣接して取付けられており、タンク本体２０の周面に取付孔２４を設け、同取付孔２４に内周面に雌ねじを設けた取付筒３１を嵌着し、同取付筒３１を介してタンク本体２０内に挿入状態で取付けられている。
【００６０】
同薬剤噴出機構３は、大半がタンク本体２０内に挿入されるボンベ保持筒３２と、タンク外部に突出したインフレータ３３とからなり、ボンベ保持筒３２には、加圧媒体である炭酸ガスを封入したボンベ６の先端を挿入保持するボンベ挿入孔３２ａと、同ボンベ６の封入口６１に対向するように開封ピン６２の基端部を保持する撃鉄６３を摺動自在に嵌装した摺動孔３２ｂとを形成している。前記開封ピン６２と撃鉄６３とにより、撃針として機能するのである。
【００６１】
開封ピン６２の先端は針状に尖っており、ボンベ６の封入口６１にわずかな間隙をあけて対峙するように位置調整されている。３２ｃはボンベ保持筒３２に設けたガス流出孔３２ｄの開口部分を閉塞したシール材であり、通常は消化薬剤１がボンベ保持筒３２内に浸入することを防止し、ボンベ６が開封されて炭酸ガスが噴出した場合は、このシール材３２ｃは弾き飛ばされてガスはタンク本体２０内に瞬時に送給されることになる。なお、６４はボンベカバーであり、ボンベ保持筒３２の先端部外周面に設けたねじ部に螺着してボンベを密封状態で保護している。
【００６２】
インフレータ３３は、前記ボンベ保持筒３２の後端に螺着した外筒３４内に端面が撃鉄６３に接するように筒状の移動ハンマー３５を摺動自在に配設し、同移動ハンマー３５と前記外筒３４の先端内面との間に形成された空間内に燃焼剤としてのガス発生剤７を収納している。しかも、同ガス発生剤７内に挿入されるように、信管として機能するイグナイタ３６を外筒３４の先端に、貫通状態で取付けている。イグナイタ３６の先端には集熱体として集熱板３７を連設しており、同集熱板３７からイグナイタ３６に伝熱されて発火し、ガス発生剤７を燃焼させるようにしている。なお、ガス発生剤７中には、着火剤などを添加しておくとよい。図中、３２ｅ〜３２ｇはＯリングである。
【００６３】
上記構成により、例えば図１のように、レンジＣにかけた鍋Ｄなどから出火して火災となると、集熱板３７が周辺温度の上昇に伴い高温となり、イグナイタ３６に伝熱されて着火し、ガス発生剤７が燃焼してガスを発生する。
【００６４】
発生したガス圧により、移動ハンマー３５が押し上げられ、撃鉄６３を開封ピン６２ごと押し上げて、同ピン６２によりボンベ６の封入口を突き刺して開封する。
【００６５】
ボンベ６内の加圧媒体である炭酸ガスが噴出し、加圧媒体の送給路であるガス流出孔３２ｄを左右に流れ、シール材３２ｃ,３２ｃを押し破ってタンク本体２０内に流出して充填され、その圧力によって消化薬剤１が封止材５４を押し破り薬剤噴出ノズル５から強力に噴出される。
【００６６】
このとき、薬液拡散用フィルタ５１によって消化薬剤１は拡散して噴出されることになり、火元全体に消化薬剤１を散出させて消火することができる。
【００６７】
以上、説明してきたように、本実施例に係る自動消火器Ａは、一般家庭などに簡単に設置することができ、また火災に対して確実に作動して初期消火を行うことができるのできわめて有用である。
【００６８】
しかも、構成が簡単であり、また、タンク本体２０が蓋体２２により開閉自在であり、さらに、薬剤噴出機構３もタンク２に対して着脱自在であってメンテナンスが極めて簡単に行え、しかも、一部はタンク本体２０内に挿入状態で取付けれているので、コンパクトな形状となって取り扱い性が良好である。
【００６９】
（第２実施例）
図３に第２実施例に係る自動消火器Ａを示す。なお、図中で用いた符号は、第１実施例と同一構成要素については同一の符号としている。
【００７０】
本実施例では、薬剤噴出機構３をタンク２の外側において、蓋体２２と連通連結して構成している。
【００７１】
本実施例における薬剤噴出機構３の機能的な構成は、前述の第１実施例と同様であるが、タンク２の外方に取り付けるために、ボンベ保持筒３２の外側面にタンク取付具４の係合突起４２と係合する係合部２３'を設けている。また、同係合部２３'の反対側に、ガス流出孔３２ｄを内部に形成した連接筒３８を突設して、同連接筒３８と、タンク２の蓋体２２に設けた連接凸部２２ａとを、連接キャップ３９を介して接続し、加圧媒体である炭酸ガスを蓋体２２側からタンク本体２０内に流入させるようにしている。なお、連接凸部２２ａと連接キャップ３９とは螺着させている。３２ｈはＯリング、３９ａはパッキンである。
【００７２】
薬剤噴出機構３のその他の構成は第１実施例と同様なので、ここでの説明は書略する。
【００７３】
本実施例において、さらに特徴的な構成は、図示するように、前記消火薬剤１を、開口端部８１を加圧媒体である炭酸ガスのガス流出孔３２ｄに連通連結した可撓性を有する袋体８内に収納してタンク本体２０内に収納するとともに、同袋体８が炭酸ガスの供給を受けて膨張した際に、これを突き刺し可能なピン体２５，２５を前記タンク本体２０の内面に突設したことにある。
【００７４】
すなわち、蓋体２２の前記連接凸部２２ａの裏側に袋体連結筒部２２ｂを突設して、同袋体連結筒部２２ｂに、袋体８の開口端部８１を挿入した環状口部８２を突合せた状態で、締結キャップ８３を前記袋体連結筒部２２ｂに螺合して袋体８をタンク本体２０内に収納するようにしている。さらに、蓋体２２の裏面側とタンク本体２０の閉塞面２１内側に前記ピン体２５を突設したピン取付座２５ａをそれぞれ配設している。図中、８１ａは薄膜状のシール材であり、第１実施例におけるシール材３２ｃと同様な機能を有するものである。
【００７５】
また、本実施例におけるタンク本体２０においても、第１実施例と同様な薬剤噴出ノズル５が突設されているが、ここで異なるのは、消化薬剤１が袋体８内に収納されているので、封止材５４は不要となっている。
【００７６】
本実施例は上記構成となっており、この場合の本自動消火器Ａの動作は以下のとおりである。
【００７７】
すなわち、例えば、やはり図１に示すように、レンジＣにかけた鍋Ｄなどから出火して火災となると、集熱板３７が周辺温度の上昇に伴い高温となり、イグナイタ３６に伝熱されて着火し、ガス発生剤７が燃焼してガスを発生する。
【００７８】
発生したガス圧により、移動ハンマー３５が押し上げられ、撃鉄６３を開封ピン６２ごと押し上げて、同ピン６２によりボンベ６の封入口を突き刺して開封する。そして、ボンベ６内の加圧媒体である炭酸ガスが噴出し、加圧媒体の送給路であるガス流出孔３２ｄを流れ、シール材８１ａを押し破って袋体８内に流出して充填され、その圧力によって袋体８が膨張し、ピン体２５に突き破られて消化薬剤１がタンク本体２０内に満ちるとともに、加圧されているのでそのまま薬剤噴出ノズル５から噴出される。このときも、薬液拡散用フィルタ５１によって消化薬剤１は拡散して噴出されることになり、火元全体に消化薬剤１を散出させて消火することができるのである。
【００７９】
以上、説明してきたように、本実施例に係る自動消火器Ａは、消火薬剤１を袋体８に収納した状態でタンク本体２０内に収納しているので、例えば消火薬剤１を定期的に点検する必要がある場合であれば、その点検、交換などのメンテナンス時に、タンク２から袋体８ごと取り出すことができるので取り扱いが容易となる。
【００８０】
さらに、消化薬剤１が液体などの場合、直接タンク本体２０に収容しないですむので、薬液漏れや薬液によりタンク本体２０の形成材料を変質させたりするおそれがなくなる。
【００８１】
しかも、袋体８は可撓性を有し、加圧媒体が送給されると膨張してタンク内面に突設されたピン体２５により簡単に破れ、中の消火薬剤１を噴出することができるので、実際の消火動作に何ら支障をきたすことがない。なお、燃焼剤としては、ガス発生剤７に代えて花火などに用いられる火薬などを用いてもよい。
（薬剤噴出機構３の変形例）
ところで、薬剤噴出機構３の変形例として、図４及び図５に示した構成としてもよい。
【００８２】
図４（ａ）に示したものは、先の実施例における薬剤噴出機構３から信管となるイグナイタ３６（図２、図３参照）を廃止して、インフレータ３３の外筒３４そのものを熱伝導率の高い金属製で形成して集熱体として機能するようにし、筒状の移動ハンマー３５内に収納したガス発生剤７（あるいは火薬）を直接発火させて移動ハンマー３５を撃鉄６３に向けて急激に移動できるようにしている。図中、３５ａはＯリングであり、薬剤噴出機構３に振動が加えられたりしても移動ハンマー３５が簡単には移動しないように設けられている。また、３５ｂは燃焼剤の燃焼力が外部に漏出しないように移動ハンマー３５の周面に設けたパッキンである。
【００８３】
図４（ｂ）に示したものは、撃鉄６３を廃止して、ボンベ６と開封ピン６２の配置を逆にするとともに、開封ピン６２を固定させておき、前記移動ハンマー３５がガス発生剤７の燃焼により移動すると、ボンベ６を開封ピン６２に向けて押し上げるようにしたものである。６２ａは開封ピン固定プラグであり、先端に開封ピン６２を装着するとともに、基端部をボンベ保持筒３２に螺着している。この構成では、インフレータ３３を構成する外筒３４が集熱体とボンベカバー（６４）とを兼用することになる。
【００８４】
また、図５に示した薬剤噴出機構３の変形例は、加圧媒体を封入し、熱により溶融可能な材料からなる封止体６１ａにより封入口６１を封止したボンベ６と、前記封止体６１ａに伝熱する集熱板３７とを具備する構成としたことに特徴がある。
【００８５】
すなわち、図５（ａ）に示したものは、薬剤噴出機構３が具備するボンベ６の封入口６１を、熱により溶融可能な材料からなる封止体６１ａにより封止するとともに、同封止体６１ａに伝熱体３７ａを介して集熱板３７を接続する構成としている。
【００８６】
この例では、ボンベ保持筒３２の下端部にキャップ３２ｊを螺着して、同キャップ３２ｊにより伝熱体３７ａを支持可能な構成としている。したがって、前述したガス発生剤７や火薬などを収納するインフレータ３３が不要な構成となっている。また、この場合の集熱板３７は先に説明したものよりも比較的に大きめに構成している。
【００８７】
伝熱体３７ａは筒状に形成され、しかも、ボンベ６から噴出してくる炭酸ガスの流路が形成できるようにスリット部３７ｂを形成して断面視略Ｃ字状に形成している。
【００８８】
また、図５（ｂ）に示すように、伝熱体３７ａを筒状とせずに板状としてもよい。この場合、伝熱板３７ａの先・後端を折り曲げて集熱板３７及び封止体６１ａとの接触面積を増加させるとともに、中途についても略Ｍ字状の折曲部３７ｃを形成することにより、ある程度の弾力性を付与している。他の構成は図４（ｂ）に示した例と同様である。
【００８９】
上記構成によれば、火災などが発生して自動消火器Ａの周辺雰囲気温度が処置温度以上に上昇すると、集熱板３７により伝熱された封止体６１ａ自体が溶融して加圧媒体が噴出し、タンク本体２０内の消火薬剤を勢いよく散出させることによって自動消火することができる。
【００９０】
そして、上記した構成では、自動消火器Ａがよりシンプルな構造となり、低コストで生産して安価に提供可能となるとともに、簡単な構成であることから当然ながら作動不良も起きにくく、初期消火が確実になされる。さらに、メンテナンスも容易なるので、一般家庭用として好適である。
【００９１】
（第３実施例）
次に、図６を参照しながら本発明に係る自動消火器Ａの第３実施例について説明する。なお、図中で用いた符号は、第１、第２実施例と同一構成要素については同一の符号としている。
【００９２】
図示するように、本実施例においては、タンク本体２０の表面に、肉厚を薄くした複数の脆弱部２６を設け、同脆弱部２６を消火薬剤１の噴出口としている。この場合、加圧媒体である炭酸ガスによる圧力で前記脆弱部２６が圧壊するので消火薬剤１を噴出することができる。
【００９３】
これは、タンク本体２０を合成樹脂などで容易に成形することができ、タンク本体２０に別途薬剤噴出ノズル５を設ける不要がないのでコスト的にも有利となる。
【００９４】
なお、このように脆弱部２６をノズル代わりとする場合でも、消火薬剤１を可及的に広く散出できるように、前述した構成の薬液拡散用フィルタ５１を設けている。
【００９５】
また、本実施例では、タンク本体２０の一端側に連結口部２７を突設し、同連結口部２７に薬剤噴出機構３を直接連通連結する構造としている。
【００９６】
すなわち、タンク本体２０の連結口部２７を環状口部８２に挿入し、同環状口部８２を薬剤噴出機構３に形成した連接筒３８’と付き合わせた状態で、締結キャップ８３を前記連接筒３８’のねじ部に螺着するものである。
【００９７】
さらに、本実施例では、マグネット板４４をタンク本体２０にボルト・ナット４５を介して直接取付けている。すなわち、タンク本体２０の前記噴出口となる脆弱部２６の反対側にマグネット取付ブラケット２０ａ，２０ａを突設し、同マグネット取付ブラケット２０ａ，２０ａにマグネット板４４に設けた継手片４４ａを重合させて、ボルト・ナット４５により取付角度変更自在に連結している。
【００９８】
その他の構成については、第１、第２実施例と同様なのでここでの説明は省略する。
【００９９】
（第４実施例）
次に、図７を参照しながら自動消火器Ａの第４実施例について説明する。
【０１００】
これは、第２実施例で説明した自動消火器Ａ（図３参照）のタンク２を用い、薬剤噴出機構３としては、ガス発生剤７などの燃焼剤に代えて、スプリング９１の弾性力によって撃鉄６３を打撃して開封ピン６２をボンベ６の封入口６１に向けて移動させるように構成したものである。
【０１０１】
すなわち、図示するように、ボンベ保持筒３２の下端にスプリング収納筒体３４’を螺着し、同スプリング収納筒体３４’の下端に低融点で溶融するリング状のヒューズ体９２により閉方向に保持されている開閉羽根体９３，９３を取付け、同開閉羽根体９３，９３の内側段部９３ａに係止体９４を介して、伸び方向に付勢された前記スプリング９１を圧縮状態で保持可能としている。９５はスプリング収納筒体３４’の下端に螺着した羽根体係合具であり、同羽根体係合具９５に開閉羽根体９３の基端が係止している。また、９１ａはスプリング受け座金、９１ｂはスプリング軸ボルト、９１ｃは前記スプリング軸ボルト９１ｂの下端に螺合してスプリング９１の撓み量を調整可能としたナットである。
【０１０２】
かかる構成により、周辺温度が上昇してヒューズ体９２が溶融すると、開閉羽根体９３がスプリング９１の付勢力に負けて羽根体係合具９５から脱落するとともに、スプリング９１が伸張してスプリング軸ボルト９１ｂの頭部９１ｂ’が撃鉄６３を打撃して開封ピン６２をボンベ６の封入口６１に押して開封することになる。
【０１０３】
ボンベ６が開封された後は、第２実施例同要因、炭酸ガスがガス流出孔３２ｄを通り袋体８に流入して袋体８が膨張し、ピン体２５によって破裂して消火薬剤１が薬剤噴出ノズル５から噴出する。
【０１０４】
ところで、本実施例では、本自動消火器Ａを壁体Ｂ１に着脱自在とした取付手段として、マグネット４４ではなくネジ４６を用いている。当然ながら前記第１〜第３実施例においてもネジ４６を用いて構わない。
【０１０５】
（第５実施例）
次に、図８〜図１０を参照しながら第５実施例に係る自動消火器Ａについて説明する。
【０１０６】
本実施例に係る自動消火器Ａは、インフレータ３３’のイグナイタ３６へ着火信号を送信可能なセンサ機構Ｓを設けた構成としたことに特徴がある。
【０１０７】
図示するように、センサ機構Ｓは、温度を検出するセンサ部Ｓ１と、同センサ部Ｓ１を制御する制御部Ｓ２とを備えており、センサ部Ｓ１により一定温度以上になったことを検知すると、その検知信号を受けて制御部Ｓ２からイグナイタ３６へ着火信号を送って着火させるようにしている。
【０１０８】
本実施例では、図９に示すように、制御部Ｓ２を、壁体Ｂ１に適宜着脱自在に取付け可能とし、前記センサ部Ｓ１を線状支持体Ｓ４を介して回動自在に取付けた取付具Ｓ３内に収納配設している。
【０１０９】
また、本実施例におけるタンク本体２０は、基本的には前述した第３実施例と同様な構成としているが、消火薬剤１を噴出する脆弱部２６’として、図９及び図１０に示すように、底部を薄肉形成した断面略ラッパ状の先広がりとした小凹部からなる構成とし、これらをタンク本体２０の周面の所定範囲内に多数設けている。
【０１１０】
かかる小凹部からなる脆弱部２６’は、拡開状のテーパ面２６ａからなるので消化薬液１が噴出する場合は適度な広がりをもち（図１０参照）、消化薬液１を火元に向けて広範囲に噴出することが可能となっている（図８参照）。
【０１１１】
ところで、本実施例におけるインフレータ３３’は、図９に示すように、タンク本体２０の略中心を通るように挿通された二重筒体３３ａから構成するとともに、同二重筒体３３ａの内筒３３ｂの全周面と、外筒３３ｃの前記脆弱部２６’側に位置する部分に、多数のガス噴出孔３３ｄを形成している。
【０１１２】
そして、内筒３３ｂの中心部に着火剤３３ｅを棒状に収納して前記イグナイタ３６に接触させるとともに、同着火剤３３ｅを包むようにガス発生剤７を収納している。図９中、２２’はタンク本体２０のインフレータ挿入口を閉塞するキャップであり、同キャップ２２’の裏面にインフレータ３３’を嵌装し、表面側からイグナイタ３６を挿通してその先端を前記着火剤３３ｅに接触さている。２２ａはインフレータ嵌装用凸部である。
【０１１３】
かかる構成により、センサ部Ｓ１が異常温度を検出すると、制御部Ｓ２が着火信号をイグナイタ３６に発信し、イグナイタ３６が着火剤３３ｅに着火してガス発生剤７を燃焼させ、発生したガスが前記ガス噴出孔３３ｄからタンク本体２０内に充満してタンク本体２０内が加圧され、消化薬剤１が前記脆弱部２６’を圧壊して外部へ噴出する。このとき、前述したように、消化薬剤１は広域に噴出するので、初期消火を確実に行うことができる。
【０１１４】
しかも、本実施例では、センサ部Ｓ１をタンク２などから離して、レンジＣなどのように火元となりやすいところに近接して配置することができるので、より確実に温度検知して初期消火することができる。
【０１１５】
さらに、薬剤噴出機構３としてセンサ機構Ｓを具備する構成としたので、極めてコンパクトな構成となり、一般家庭への取付けに好適である。
【０１１６】
以上、各実施例を通して本発明を説明してきたが、上述してきたように、本発明に係る自動消火器は、構成が簡単で取り扱いが容易となっており、しかも安価に提供可能なので、一般家庭などへの設置にきわめて都合がよく、かかる自動消火器を常設することにより、悲惨な火災事故を防止することが可能となる。
【０１１７】
【発明の効果】
発明は上記のような形態で実施されるもので、以下の効果を奏する。
【０１１８】
（１）請求項１記載の本発明では、消火薬剤を収納したタンクと、温度を感知して作動することにより、加圧媒体を前記タンク内に送給して前記消火薬剤をタンク外へ噴出させる薬剤噴出機構とを具備する自動消火器において、前記消火薬剤を、開口端部を前記加圧媒体の送給路に連通連結した可撓性を有する袋体内に収納してタンク内に収納するとともに、同袋体が加圧媒体の供給を受けて膨張した際に突き刺し可能なピン体を前記タンク内面に突設したことにより、例えば消火薬剤の点検、交換などのメンテナンスが必要な場合に、タンクから袋体ごと取り出すことができるので取り扱いが容易となる。また、消化薬剤が液体などの場合、直接タンクに収容しないですむので、薬液漏れや薬液によりタンク材料を変質させたりするおそれがなくなる。
【０１１９】
（２）請求項２記載の本発明では、上記薬剤噴出機構は、加圧媒体を封入したボンベと、同ボンベの封入口を突き刺し可能とした撃針と、同撃針を移動させるために、イグナイタと燃焼剤とを備えるインフレータとを具備し、前記燃焼剤は、火薬又はガス発生剤としたことにより、燃焼が瞬時に行えるとともに、消化薬剤を外部へ噴出させるための十分な威力を発揮する。
【０１２０】
（３）請求項３記載の本発明では、上記イグナイタへ着火信号を送信可能なセンサ機構を具備することとしたことにより、センサ部をタンクなどから離して、火元となりやすいところに近接して配置すれば、より確実な温度検知が可能となる。
【０１２４】
（４）請求項４記載の本発明では、壁体に着脱自在な取付手段をタンクに設けたことにより、誰でも容易に取付けることができ、一般家庭などにおける設置が簡単となる。
【０１２５】
（５）請求項５記載の本発明では、上記タンク表面に複数の脆弱部を設け、同脆弱部を消火薬剤の噴出口としたことにより、タンクと一体成型できるとともに、特別なノズルなどが不要となるのでコスト的にも有利となる。
【図面の簡単な説明】
【図１】第１実施例に係る自動消火器の使用状態を示す説明図である。
【図２】同自動消火器の断面視による説明図である。
【図３】第２実施例に係る自動消火器の説明図である。
【図４】薬剤噴出機構の変形例を示す説明図である。
【図５】薬剤噴出機構の変形例を示す説明図である。
【図６】第３実施例に係る自動消火器の説明図である。
【図７】第４実施例に係る自動消火器の説明図である。
【図８】第５実施例に係る自動消火器の使用状態を示す説明図である。
【図９】同自動消火器の断面視による説明図である。
【図１０】タンク本体の説明図である。
【符号の説明】
Ａ  自動消火器
Ｂ  レンジフード
Ｂ１  壁面
１  消火薬剤
２  タンク
３  薬剤噴出機構
４  タンク取付具
６  ボンベ
７  ガス発生剤（燃焼剤）
３３  インフレータ
３６  イグナイタ
４４  マグネット板
６１  封入口
６２  開封ピン
６３  撃鉄
【図１】
0003878465.tif 000002
【図２】
0003878465.tif 000003
【図３】
0003878465.tif 000004
【図４】
0003878465.tif 000005
【図５】
0003878465.tif 000006
【図６】
0003878465.tif 000007
【図７】
0003878465.tif 000008
【図８】
0003878465.tif 000009
【図９】
0003878465.tif 000010
【図１０】
0003878465.tif 000011